(57)【要約】【課題】  一度廃棄された既使用のプリカを再利用することにより、資源の有効利用を図る。【解決手段】  予め入金された予納額および／または貨幣の金額から購入金額を減算した残高を印字可能なプリカＰをストックするカードストッカと、プリカＰの残高の情報を読み取ると共に記憶させるリーダ・ライタと、プリカＰの印字面に文字等を印字するカード印字手段と、制御装置とを備え、カードストッカにストックされた既使用のプリカＰがカードストッカから発行される際に、リーダ・ライタに当該既使用のプリカＰに残高を記憶させると共に、既使用のプリカＰの既印字欄にカード印字手段により重ねて印字を行うことで、既印字欄の文字等を消すように制御装置が制御することを特徴とする。【選択図】        図３
2006056546.tif 000002
【特許請求の範囲】
【請求項１】
給油用のポンプと、給油量を計量する流量計と、給油用の給油ノズルとを有する給油装置を備えた給油所システムであって、
給油量又は給油金額を含む給油予定情報を入力するための給油予定情報入力手段と、
給油のために投入された貨幣を識別するための貨幣識別手段と、
予め入金された予納額および／または貨幣の金額から購入金額を減算した残高の情報を印字および記憶可能なプリペイドカードをストックするカードストッカと、
前記プリペイドカードの残高の情報を読み取ると共に記憶させるリーダ・ライタと、
前記プリペイドカードの印字面に文字および／または記号の印字を行うカード印字手段と、
制御装置とを備え、
前記カードストッカにストックされた既使用のプリペイドカードが前記カードストッカから発行される際に、前記リーダ・ライタに当該既使用のプリペイドカードに残高を記憶させると共に、前記既使用のプリペイドカードの既印字欄に前記カード印字手段により重ねて印字を行うことで、既印字欄の文字および／または記号を消すように前記制御装置が制御することを特徴とする給油所システム。
【請求項２】
請求項１において、前記カードストッカにストックされたプリペイドカードが前記カードストッカから発行される際に、当該プリペイドカードが未使用か既使用かを判別する判別手段を更に備え、
前記判別手段による判別の結果、前記カードストッカから発行されたプリペイドカードが既使用の場合には前記重ね印字を行い、一方、前記カードストッカから発行されたプリペイドカードが未使用の場合には前記重ね印字を行わないように制御することを特徴とする給油所システム。
【請求項３】
請求項１において、前記カードストッカにストックされたプリペイドカードの印字記録回数を判別する判別手段を更に備え、
前記判別された印字記録回数に応じて、前記印字欄に重ね印字を行うことを特徴とする給油所システム。
【請求項４】
請求項３において、前記印字記録回数が所定の閾値よりも多い場合には、当該印字記録回数の多いプリペイドカードに残高を記憶させずに排出すると共に、別のプリペイドカードを発行できるようにした給油所システム。
【請求項５】
請求項１において、前記既使用のプリペイドカードを発行する際には、購入金額とは別に所定のポイントが当該プリペイドカードに記憶されるようにしたことを特徴とする給油所システム。
【発明の詳細な説明】
【技術分野】
【０００１】
本発明は、給油所の、特に既使用のプリペイドカードを再利用する給油所システムに関する。
【背景技術】
【０００２】
下記の特許文献１には、プリペイドカードを使用して給油後の残金が所定額以下であれば、予め定められた金額をプリペイドカードに加算することでプリペイドカードの残高を“０”にしないようにして、カードの廃棄を防ぐことでプリペイドカードの完全な利用を促進することが開示されている。
【特許文献１】特開２００２−２９３４００号
【発明の開示】
【０００３】
プリペイドカード（以下、「プリカ」という。）を利用した給油・精算では、たとえば、２０回の印字記録が可能な５，０００円のプリカを購入して、その金額を２回の給油で使い切ると、プリカ自体は、あと１８回の印字記録が可能でありながら、２回のみの使用でプリカは廃棄されることになり、資源の無駄になる。
【０００４】
通常、セキュリティなどの関係から、プリカの初期金額は約２０，０００円から約３０，０００円であるのに対し、印字記録の可能な回数は約２０回である。つまり、プリカの印字領域には約２０回分の印字が可能である。一方、給油金額は満タン給油を行った場合、１回当たりおよそ３，０００円ないし５，０００円の使用になるので、約５回から１０回の給油でプリカを使い切ることになる。そのため、プリカの印字記録の可能な回数を大幅に下回る使用回数でプリカが廃棄されることが極めて多い。
【０００５】
したがって、本発明の目的は、印字記録が可能な回数を残したまま一旦廃棄された既使用のプリカを再利用することにより、資源の有効利用を図り得る給油所システムを提供することである。
【０００６】
前記目的を達成するために、本発明は、給油用のポンプと、給油量を計量する流量計と、給油用の給油ノズルとを有する給油装置を備えた給油所システムであって、給油量又は給油金額を含む給油予定情報を入力するための給油予定情報入力手段と、給油のために投入された貨幣を識別するための貨幣識別手段と、予め入金された予納額および／または貨幣の金額から購入金額を減算した残高の情報を印字および記憶可能なプリカをストックするカードストッカと、前記プリカの残高の情報を読み取ると共に記憶させるリーダ・ライタと、前記プリカの印字面に文字および／または記号の印字を行うカード印字手段と、制御装置とを備え、前記カードストッカにストックされた既使用のプリカが前記カードストッカから発行される際に、前記リーダ・ライタに当該既使用のプリカに残高を記憶させると共に、前記既使用のプリカの既印字欄に前記カード印字手段により重ねて印字を行うことで、既印字欄の文字および／または記号を消すように前記制御装置が制御することを特徴とする。
【０００７】
既使用のプリカがカードストッカから発行されると、予め入金された予納額および／または貨幣の金額から購入金額を減算した残高を、当該既使用のプリカに記憶させると共に、既印字欄に重ね印字を行うことで、当該既印字欄の文字等が消される。これによって、他人が使用した印字記録が消されるので、利用情報の誤認を防止して、プリカの再利用が可能になると共に、廃棄された既使用のプリカの再利用がソフトウェアの変更のみにより実現可能となる。
【０００８】
本発明の好ましい実施例においては、前記カードストッカにストックされたプリカが前記カードストッカから発行される際に、当該プリカが未使用か既使用かを判別する判別手段を更に備え、前記判別手段による判別の結果、前記カードストッカから発行されたプリカが既使用の場合には前記重ね印字を行い、一方、前記カードストッカから発行されたプリカが未使用の場合には前記重ね印字を行わないように制御するのが好ましい。
【０００９】
このように、未使用か否かを判別することにより、未使用および既使用の双方を１つのカードストッカに混在させて運用することができる。
【００１０】
本発明の更に好ましい実施例においては、前記カードストッカにストックされたプリカの印字記録回数を判別する判別手段を更に備え、前記判別された印字記録回数に応じて、前記印字欄に重ね印字を行うのが好ましい。
【００１１】
このように、印字記録回数に応じた重ね印字を行うことにより、未印字の印字欄を最大限に生かすことができる。なお、ここで、「印字記録回数に応じて前記印字欄に重ね印字を行う」とは、少なくとも印字記録された印字欄のうちの既印字の部分全てに重ね印字を行うことを意味すると共に、当該印字欄のうちの未印字の部分に消し込み用の印字を行う場合も含む。なお、印字記録回数が“０”の場合には、重ね印字が行われない。
【００１２】
本発明の別の好ましい実施例においては、前記印字記録回数が所定の閾値よりも多い場合には、当該印字記録回数の多いプリカに残高を記憶させずに排出すると共に、別のプリカを発行できるようにするのが好ましい。
印字記録回数が多いプリカを再利用すると、新たな印字記録が可能な残りの印字欄が少ないため、残高があるにもかかわらず、すぐに印字欄が満杯になり、ユーザに不便を強いるおそれがある。本実施例では、この不便を回避することができる。また、カードの印字記録回数を監視することで、プリカの再利用によるカードの破損を事前に防止することができる。
【００１３】
本発明においては、前記既使用のプリカを発行する際には、購入金額とは別に所定のポイントが当該プリカに記憶されるようにするのが好ましい。
既使用のプリカを発行するユーザに特典を与えることで既使用のプリカの再利用の好評を狙うことができるからである。
【発明を実施するための最良の形態】
【００１４】
以下、本発明の一実施形態を図面にしたがって説明する。
全体構成：
図１（ａ）に示すように、セルフサービス方式の給油所システムは、ＰＯＳ端末２０を備えている。該ＰＯＳ端末２０には複数台の給油装置９が、図示しないインターフェイスを介して、たとえば、ethernetおよび業界標準のSS-LANなどにより互いに接続されている。給油装置９には、それぞれ、精算装置１０が接続されている。前記ＰＯＳ端末２０は、給油所内に設けられた給油装置９や、精算装置１０などの管理を行うものであり、たとえばパソコンで構成されている。
一方、ＰＯＳ端末２０は、たとえば電話回線などにより、給油所から離れた場所に存在するクレジットセンター３０に接続されている。
【００１５】
図１（ｂ）は、前記精算装置１０の正面図である。図１（ｂ）に示すように、精算装置１０の正面に設けられた操作パネル１０Ａには、表示器１２、貨幣投入口１３Ａ、プリペイドカード投入口（以下、「プリカ投入口」という。）１４Ａ、クレジットカード投入口１６Ａ、人検知センサ１８、スピーカー１７およびレシート発行口１９Ａなどが設けられている。
【００１６】
顧客は、図１（ａ）の精算装置１０に、後述するプリカ（板状記憶媒体）や、貨幣、クレジットカードなどを投入した後に給油装置９から給油を行い、該給油後に精算装置１０から返却されたプリカやクレジットカードなどを受け取る。現金で給油して釣銭が発生した場合には、当該釣銭の金額が記憶および印字されたプリカＰ（図３参照）が発行される。
【００１７】
給油装置９：
図２に示すように、前記給油装置９には、たとえばマイコンなどからなる給油機制御手段９１が設けられている。給油機制御手段９１には、たとえば、「レギュラー」、「ハイオク」および「軽油」などの油種別に給油機９３および給油ノズル９２が接続されている。給油機９３は、それぞれ、給油用のポンプ（図示せず）および給油量を計量する流量計（図示せず）を備えており、給油用の給油ノズル９２に接続されている。
【００１８】
給油機制御手段９１は給油機９３の制御を行うものであり、後述する給油予定情報に従って、所定の油種の給油ノズル９２からの給油を可能とすると共に、給油量のカウントを行い精算装置１０に油種および給油量などからなる給油実績を送信する。
【００１９】
精算装置１０：
精算装置１０はマイコン（制御装置、判別手段）１１を備えている。マイコン１１は、ＣＰＵ１１ａおよび記憶部１１ｂを備えている。
マイコン１１は、前記給油装置９から受信した給油実績（油種および給油量）に基づいて給油金額（購入金額）を算出し、前記給油が行われる毎に、当該給油時の月日、時刻、給油量、油種、投入金額、買上金額および釣銭情報などの給油情報を前記ＰＯＳ端末２０に送信する。
【００２０】
前記マイコン１１には、前記表示器１２、貨幣識別機１３、プリペイドカードリード・ライタ（以下、「プリカリード・ライタ」という）１４、カードストッカ１５、クレジットカードリーダ１６、スピーカー１７、人検知センサ１８およびレシート発行機１９などが図示しないインターフェイスを介して互いに接続されている。
【００２１】
前記表示器１２は、たとえば、液晶表示器を備えたタッチスクリーンからなり、表示画面を表示させる表示手段を構成していると共に、表示画面に表示された確認ボタンや選択スイッチなどにタッチすることで入力を行う入力手段を構成している。この入力手段には、たとえば、油種と給油量または給油金額を含む給油予定情報を入力するための図示しないスイッチ（給油予定情報入力手段）などが含まれる。
【００２２】
前記貨幣識別機（貨幣識別手段）１３は、貨幣投入口１３Ａ（図１（ｂ））から投入された紙幣を識別するものであり、紙幣の種類や枚数（個数）の判別を行う。
【００２３】
前記プリカリード・ライタ１４は、プリカ投入口１４Ａ（図１（ｂ））から挿入（投入）されたプリカの読み取り、書き込みおよび印字を行い、当該プリカをプリカ投入口１４Ａから排出する。プリカリード・ライタ１４には、プリカの磁気情報の読み取りおよび書き込みを行う磁気読書装置１４ｂおよびカードの印字面に文字等の印字を行うカード印字手段１４ｃが設けられている。磁気読書装置１４ｂおよびカード印字手段１４ｃによって書き込みおよび印字されたプリカは、プリカ投入口１４Ａから排出される。
【００２４】
プリカＰ；
図３はプリカＰの印字面を示し、当該印字面は印字領域３ａを有する。図４（ａ）はプリカＰの印字面とは反対側の磁気記録面に磁気的に記憶された記憶内容を模式的に示している。
図３に示す前記印字領域３ａには、プリカリード・ライタ１４のカード印字手段１４ｃにより、当該プリカＰの使用月日や、投入金額、残額（残高）、ポイント数などからなる利用情報が印字される。前記印字領域３ａは、最大ｎ回の給油に伴うｎ回の印字が可能になっている。
【００２５】
前記使用月日の欄には、本プリカＰが使用された（給油が行われた）月日が印字される。投入金額の欄には、貨幣投入口１３Ａから投入された金額（予納額）が印字される。残額の欄には、当該プリカＰにおいて使用可能な金額が印字される。ポイントの欄には、後述するポイント数が印字される。
【００２６】
一方、図４（ａ）に示すように、磁気記録面には、前記各印字欄に印字された利用情報のうち、最新の利用情報と共に、当該プリカＰの認証情報や印字記録回数などが磁気情報として記憶されている。
【００２７】
プリカＰがプリカ投入口１４Ａから挿入されると、プリカリード・ライタ１４の磁気読書装置１４ｂがプリカＰの磁気記録面に記憶されている利用情報、認証情報および印字記録回数を読み出す。一方、磁気読書装置１４ｂは、後述するタイミングで、磁気記録面に記憶されていた利用情報および印字記録回数を消去すると共に、新たな利用情報および印字記録回数を書き込む（上書きする）。
本実施例において、「記憶」および「書き込み」とはプリカＰの磁気記録面に磁気的に記憶させることをいい、「印字」とはプリカＰの印字領域３ａの印字欄に感熱等により文字や数字等を目視で視認できるように表記することをいう。
【００２８】
前記ポイント数は、購入金額の累計に基づいて定まる付与価値の数値であり、たとえば、前記累計に１／１００を乗算し、小数点以下を四捨五入することで算出される。前記ポイント数は、所定の数以上になると、キャッシュバックや、景品交換、給油単価の値下げなどに用いることができる。
【００２９】
図２に示すカードストッカ１５には、未使用および既使用のプリカＰがストックされている。カードストッカ１５は、所定のタイミングでプリカＰをプリカリード・ライタ１４に送り発行する。なお、カードストッカ１５には未使用および既使用のプリカＰが混合されてストックされており、カードストッカ１５からは、未使用と既使用のプリカＰがランダムにプリカリード・ライタ１４に搬送される。
【００３０】
マイコン（判別手段）１１は、前記カードストッカ１５にストックされたプリカＰがカードストッカ１５から発行される際に、当該プリカＰが未使用か既使用かの判別を行う。プリカリード・ライタ１４は、カードストッカ１５から発行されたプリカＰの磁気記録面から磁気情報を読み出し、給油月日や印字記録回数などが記憶されている場合には、当該プリカＰを既使用のプリカＰと判別する。一方、プリカＰの磁気記録面に何ら利用情報が記憶されていない場合は、当該プリカＰを未使用のプリカＰと判別する。
【００３１】
図２に示すクレジットカードリーダ１６は、前記クレジットカード投入口１６Ａ（図１（ｂ））から投入（挿入）されたクレジットカードから登録情報を読み取り、前記マイコン１１に当該登録情報を送信する。マイコン１１は、該登録情報をＰＯＳ端末２０に送信し、ＰＯＳ端末２０は該情報を、図１（ａ）のクレジットセンター３０に送信する。クレジットセンター３０で該登録情報が確認されると、クレジットセンター３０から正規の登録情報である旨の承認信号がＰＯＳ端末２０に送られ、精算装置１０での精算が可能となる。
【００３２】
なお、「クレジットカード」とは、当該カード所有者の会計処理上必要な登録情報を提供するためのカードであり、当該カードとしては、たとえば、該カードの一部に設けた磁気面を備えた磁気カードや、カードに内蔵されたＣＰＵおよび不揮発製メモリＩＣを備えたＩＣカードなどを用いることができる。
【００３３】
図２に示すレシート発行機１９は、たとえば、サーマルプリンタやカッタなどを備えており、レシート発行口１９Ａ（図１（ｂ））から、納品書や領収書、釣銭引換券などの発行を行う。
【００３４】
給油方法：
つぎに、図５に示すフローチャートに従い、本システムの給油方法について具体的に説明する。なお、以下の説明では、説明の簡略化のために、現金を用いて給油した場合について例示して説明する。
【００３５】
ステップＳ１では、貨幣識別機１３が現金の投入を検出するとステップＳ２に進む。
ステップＳ２では、貨幣識別機１３が計数した紙幣の数に基づき、マイコン１１が投入金額を算出してステップＳ３に進む。
ステップＳ３では、マイコン１１が前記投入金額を表示器１２に表示させて、ステップＳ４に進む。
【００３６】
ステップＳ４では、マイコン１１が精算装置１０の表示器１２に油種および給油方法の設定画面を表示させ、ステップＳ５に進む。
ステップＳ５では、油種（給油予定情報の一部）が指定されるとステップＳ６に進む。
ステップＳ６では、満タンや、給油量、金額指定などの給油方法（給油予定情報の一部）が指定されるとステップＳ７に進む。
ステップＳ７では、給油が開始可能となり、ステップＳ８に進む。
【００３７】
ステップＳ８において、顧客が給油を行い、前記給油予定情報に基づいて給油が完了すると、マイコン１１が、給油装置９からの給油実績に基づき今回給油を行った給油金額を算出すると共に、前記投入金額から当該給油金額を減算して残額を算出して、ステップＳ９に進む。
【００３８】
ステップＳ９では、残額が０でない場合、すなわち、釣銭が生じた場合にはステップＳ１０に進む。一方、残額が０であり、釣銭が生じなかった場合には、ステップＳ４０に進む。
ステップＳ４０では、顧客の指定に応じて給油伝票を発行して、ステップＳ４１に進み、ステップＳ４１で当該給油が終了する。
【００３９】
ステップＳ１０では、カードストッカ１５からプリカリード・ライタ１４にプリカＰを発行（搬送）して、ステップＳ１２に進む。なお、カードストッカ１５からは、未使用と既使用のプリカＰがランダムにプリカリード・ライタ１４に搬送される。
ステップＳ１２では、プリカリード・ライタ１４がプリカＰの磁気記録面から磁気情報を読み出し、マイコン１１が当該磁気情報に基づき、当該プリカＰが未使用であるか既使用であるかの判別を行う。前記磁気情報に給油月日や印字記録回数などが記憶されていた場合には、マイコン１１は、当該プリカＰを既使用であると判別して、ステップＳ１３に進む。一方、その他の場合には、当該プリカＰを未使用であると判別してステップＳ１５に進む。
【００４０】
ステップＳ１３では、マイコン（判別手段）１１は、プリカリード・ライタ１４によって読み出されたプリカＰの印字記録回数ｎが、所定の使用回数以下か否かの判別を行う。印字記録回数ｎが所定の使用回数以下の場合には、ステップＳ１４に進む。一方、印字記録回数ｎが所定の使用回数を越える場合には、ステップＳ３０に進む。
【００４１】
ステップＳ３０では、マイコン１１が、たとえば、所定のエラーメッセージを表示器１２に表示させて、ステップＳ３１に進む。前記エラーメッセージの内容としては、たとえば、「本装置はプリカを再生利用していますが、これから排出するプリカは当社既定の使用可能回数を超えているので使用できません。そのため、排出されたプリカＰを除去して、再発行スイッチを押下して下さい。」等のエラー表示を行う。
ステップＳ３１では、プリカリード・ライタ１４がプリカＰの磁気記録面のデータを消去した後、エラーのあったプリカＰを排出してステップＳ３２に進む。なお、ここで、印字領域３ａにおいても、後述するステップＳ１８で行う重ね印字を行い、既印字欄の文字および／または記号を消去した後プリカＰを排出するようにしてもよい。
ステップＳ３２では、顧客が再発行スイッチを押下したか否かの判別が行われ、再発行スイッチが押されると、ステップＳ１０に戻る。ステップＳ１０ないしステップＳ１３により、別のプリカＰが再発行される。
【００４２】
このように、印字欄の残り少ないプリカＰを排出すると共に、別のプリカＰを再発行することにより、残額があるにも拘わらず印字欄が満杯になるなど、ユーザの不便を回避することができる。また、印字記録回数が所定の使用回数を超えるプリカの再使用を防止することでカードの破損等を防止できる。
【００４３】
ステップＳ１４では、特典単価で給油金額を再計算して残額を算出してステップＳ１５に進む。ここで、既使用のプリカＰは他人が使用した後のものであるため、顧客によっては、その使用に対して抵抗感が生じるおそれがある。そのため、この抵抗感を緩和するために、値引きされた特典単価で給油金額を再計算することにより、値引きを行う。
【００４４】
ステップＳ１５では、マイコン１１が今回給油した給油金額に基づき、ポイント数を算出して、ステップＳ１６に進む。
ステップＳ１６では、前記ポイント数を含む今回の利用情報、認証情報および印字記録回数をプリカＰの磁気記録面に書き込み、ステップＳ１７に進む。ここで、未使用のプリカＰには、印字記録回数「１」が書き込まれる。一方、既使用のプリカＰには、当該プリカＰから読み出された印字記録回数ｎに１を加算した新たな印字記録回数「ｎ＋１」が書き込まれる。
【００４５】
ステップＳ１７では、マイコン１１が、前記ステップＳ１２で読み出された当該プリカＰの印字記録回数ｎに基づき、当該プリカＰが未使用であるか既使用であるかの判別を行う。印字記録回数ｎが“０”である場合には、未使用のプリカＰであると判別して、ステップＳ１９に進む。一方、印字記録回数ｎが“０”以外の数値である場合には、既使用のプリカＰであると判別して、ステップＳ１８に進む。
【００４６】
ステップＳ１８では、既使用のプリカＰの既印字欄（古い印字データ）に所定の文字データを重ね印字し、既印字欄の文字および／または記号を消した後、ステップＳ１９に進む。すなわち、プリカリード・ライタ１４がステップＳ１２で読み出した、当該プリカＰの印字記録回数ｎに基づき、当該回数に相当する行数の印字欄に所定の文字を重ね印字する。したがって、図３（ａ）に示すように、前記ステップＳ１２で読み出した印字記録回数がｎである場合、既にプリカＰの印字領域３ａの印字欄にｎ行にわたって印字データが印字されており、当該印字記録回数ｎに相当するｎ行にわたる既印字の部分に所定の文字が重ねて印字されて既印字の印字データが抹消される（図３（ｂ）参照）。
【００４７】
このように、既使用のプリカＰがカードストッカ１５から発行されると、当該プリカＰの既印字欄に重ね印字が行われ、当該既印字欄の文字等が消される。これによって、他人が使用した印字記録が消されるので、利用情報の誤認を防止することができるから、当該プリカＰを再利用に供することができる。
【００４８】
ステップＳ１９では、プリカＰの印字領域３ａの印字欄に今回の利用情報を印字して、ステップＳ２０に進む。ここで、図３（ｃ）に示すように、未使用のプリカＰには、第１回目の印字欄に当該利用情報が印字される。一方、図３（ｂ）に示すように、既使用のプリカＰには、前述の新たな印字記録回数ｎ＋１に相当する行数の印字欄に当該利用情報が印字される。
【００４９】
ステップＳ２０では、プリカ投入口１４ＡからプリカＰを排出して、ステップＳ２１に進む。
ステップＳ２１では、顧客の指定に応じて給油伝票を発行して、ステップＳ２２に進み、ステップＳ２２で当該給油が終了する。
【００５０】
なお、既使用のプリカＰを発行する場合には、ステップＳ１４において、値引きされた特典単価で給油金額を再計算して値引きすることとしたが、給油金額の値引きを行う代わりに、購入金額に対応するポイントとは別に、所定のポイントを付加するようにしてもよい。
【００５１】
また、前述の実施例では、未使用と既使用のプリカＰを混合して用いたが、既使用のプリカＰのみを用いてもよい。かかる場合には、既使用のプリカＰであるか否かの判別を省略することができる。
【００５２】
さらに、図４（ｂ）に示すように、プリカＰには複数列（たとえば、図４（ａ）では２列）に分けて印字欄が設けられていてもよい。かかる場合であっても、所定の文字を印字記録回数に応じて、印字欄に印字することにより、図４（ｂ）に示すように、既印字欄に前記所定文字を重ね印字することができる。なお、重ね印字に用いる文字種としては、図３（ｂ）に示す“■”や図４（ｃ）に示す“＊”の他に、他の文字キャラクタを使用してもよいし、横線や二重線などを重ね印字してもよい。
【００５３】
また、前述の実施例では、判別された印字記録回数に応じて重ね印字を行うようにしたが、一律に所定の印字欄に重ね印字を行うようにしてもよい。たとえば、ステップＳ１３において、所定の使用回数を最大使用可能回数（最大印字可能回数）の半分に設定して、かかる条件をクリアするプリカのみを再利用に供することとし、当該再利用のプリカの全てについて一律に最大使用回数の半分に相当する印字欄に所定の文字を印字するようにしてもよい。
【００５４】
また、前述の実施例では、既使用プリカから判別された印字記録回数が所定の使用回数を超える場合に、所定のエラー表示をしてプリカを排出すると共にユーザが再発行スイッチを押下してカードを再発行するようにしたが、エラー表示をせずにエラーとなったプリカを排出すると共に自動的に新たな別のカードが再発行されるようにしてもよい。
【００５５】
なお、給油装置９と精算装置１０とが一体となった給油精算装置を用いてもよい。さらに、表示器１２、貨幣識別機１３、プリカリード・ライタ１４、カードストッカ１５、クレジットリーダ１６、スピーカー１７、人検知センサ１８およびレシート発行機１９のうちの１以上の要素は、給油装置１０ごとに設ければよく、構造物としては給油装置１０と一体もしくは別体に設けてもよい。
さらに、貨幣識別機１３は紙幣の他に硬貨を使用できるようにしてもよい。
【００５６】
なお、本発明では、カードストッカから発行された既使用のプリカに前記重ね印字を行うようにした。しかし、既使用のプリカに予め、重ね印字をした後、当該重ね印字をした既使用のプリカを前記カードストッカにストックしておいて、発行時には重ねて印字を行わないようにすることも可能である。
【産業上の利用可能性】
【００５７】
本発明は、顧客が自分で給油を行うセルフサービス式の給油所システムなどに適用することができる。
【図面の簡単な説明】
【００５８】
【図１】（ａ）は本発明の実施例にかかる給油所システムを示す概略構成図、（ｂ）は同システムにおける精算装置の正面図である。
【図２】精算装置、給油装置およびＰＯＳ端末を示す概略構成図である。
【図３】（ａ）〜（ｃ）はプリカの印字面を示す正面図である。
【図４】（ａ）はプリカの磁気記録面に記憶された内容を概念的に示す図表、（ｂ），（ｃ）は他の印字記録例を示すプリカの正面図である。
【図５】本発明の給油所システムを用いた給油方法を示すフローチャートである。
【符号の説明】
【００５９】
１１：マイコン（制御装置、判別手段）
１３：貨幣識別機（貨幣識別手段）
１４：プリカリード・ライタ
１５：カードストッカ
９２：給油ノズル
Ｐ：プリカ（プリペイドカード）
【図１】
2006056546.tif 000003
【図２】
2006056546.tif 000004
【図３】
2006056546.tif 000005
【図４】
2006056546.tif 000006
【図５】
2006056546.tif 000007